(57)【特許請求の範囲】
【請求項１】
操作面をなぞる操作を検出する検出部と、
前記検出部の基準位置から下方向の押し下げ操作を可能にする押下機構部と、
前記押下機構部を介した前記押し下げ操作を検出する押下検出部と、
駆動力を発生する駆動力発生部、前記駆動力発生部の出力軸に設けられた出力軸側ギア、及び前記出力軸側ギアと噛み合い、前記検出部に設けられた第１のリンクと連結される第１の凸部が設けられた第１のギアを有し、前記検出部の前記基準位置から上方向の間での駆動を可能にする駆動機構部と、
を備えた操作装置。
【請求項２】
さらに表示装置に表示される画像の画像情報に基づいて前記駆動機構部を制御して前記検出部を駆動させる制御部を備えた請求項１に記載の操作装置。
【請求項３】
前記押下機構部が、
前記押し下げ操作に基づいて前記検出部の下面に接触するロッドと、
前記ロッドを支持し、前記第１のリンクが挿入されるリンク孔を有する支持部と、
前記支持部に設けられ、前記検出部の方向の力を生成して前記ロッドに付加する力生成部と、
を備えた請求項１又は２に記載の操作装置。
【請求項４】
前記押下機構部が、前記第１のリンクが挿入されるリンク孔を有する支持部を備えた請求項１又は２に記載の操作装置。
【請求項５】
前記駆動機構部が、
一方端部が前記第１のギアに接続するシャフトと、
前記シャフトの他方端部が接続し、前記第１のリンクと対向する第２のリンクと連結される第２の凸部が設けられた回転部材と、
を備えた請求項３又は４に記載の操作装置。
【請求項６】
前記検出部と前記支持部とを連結する連結部材が、
基部と、
前記基部の一方端部を曲げて形成された第１の端部と、
前記基部の他方端部を曲げて形成された第２の端部と、
を備え、
前記基部が前記シャフトと交差するように、前記支持部に取り付けられ、
前記第１の端部及び前記第２の端部が前記検出部に取り付けられる請求項５に記載の操作装置。
【発明の詳細な説明】
【技術分野】
【０００１】
本発明の実施の形態は、操作装置に関する。
【背景技術】
【０００２】
従来の技術として、スライド操作を検出するタッチセンサと、触感を呈示するようにタッチセンサに振動を加える触感呈示部と、タッチセンサに加えられた荷重を検出することで、タッチセンサになされたプッシュ操作を検出する荷重検出部と、を備えた入力装置が知られている（例えば、特許文献１参照。）。
【０００３】
この入力装置は、タッチセンサに対するユーザのスライド操作及びプッシュ操作に応じて、ユーザに触感によるフィードバックを呈示することができる。
【先行技術文献】
【特許文献】
【０００４】
【特許文献１】特開２０１１−４８６０６号公報
【発明の概要】
【発明が解決しようとする課題】
【０００５】
しかし、従来の入力装置は、振動による触感の呈示の際、タッチセンサを介して荷重検出部に荷重が付加されるので、荷重検出部を機能させない等の制御を行う必要があった。
【０００６】
従って、本発明の目的は、高度な制御を行うことなく、触覚の呈示と、押し下げ操作の検出と、を行うことができる操作装置を提供することにある。
【課題を解決するための手段】
【０００７】
本発明の一態様は、操作面をなぞる操作を検出する検出部と、検出部の基準位置から下方向の押し下げ操作を可能にする押下機構部と、押下機構部を介した押し下げ操作を検出する押下検出部と、駆動力を発生する駆動力発生部、駆動力発生部の出力軸に設けられた出力軸側ギア、及び出力軸側ギアと噛み合い、検出部に設けられた第１のリンクと連結される第１の凸部が設けられた第１のギアを有し、検出部の基準位置から上方向の間での駆動を可能にする駆動機構部と、を備えた操作装置を提供する。
【発明の効果】
【０００８】
本発明によれば、高度な制御を行うことなく、触覚の呈示と、押し下げ操作の検出と、を行うことができる。
【図面の簡単な説明】
【０００９】
【図１】図１は、実施の形態に係る操作装置の分解斜視図である。
【図２】図２（ａ）は、実施の形態に係る操作装置の配置を説明するための概略図であり、（ｂ）は、操作装置のブロック図である。
【図３】図３（ａ）は、実施の形態に係るベースの下面図であり、（ｂ）は、側面図である。
【図４】図４（ａ）は、実施の形態に係るボディの上面図であり、（ｂ）は、図４（ａ）のIV（ｂ）-IV（ｂ）線で切断した断面を矢印方向から見た断面図である。
【図５】図５（ａ）は、実施の形態に係るプッシュロッドの側面図であり、（ｂ）は、下面図である。
【図６】図６（ａ）は、実施の形態に係る駆動機構部の第１のギアの概略図であり、（ｂ）は、図６（ａ）のVI（ｂ）-VI（ｂ）線で切断した断面を矢印方向から見た断面図であり、（ｃ）は、第１のギアの側面図であり、（ｄ）は、第２のギアの概略図であり、（ｅ）は、図６（ｄ）のVI（ｅ）-VI（ｅ）線で切断した断面を矢印方向から見た断面図であり、（ｆ）は、第２のギアの側面図である。
【図７】図７（ａ）は、表示装置９１に表示される画像を示す概略図であり、（ｂ）は、ｘ軸方向の触覚パターンを示す概略図であり、（ｃ）は、ｙ軸方向の触覚パターンを示す概略図である。
【図８】図８は、実施の形態に係る操作装置の基準位置からの駆動を示す概略図である。
【図９】図９は、実施の形態に係る操作装置の基準位置からの押し下げ操作における動作を示す概略図である。
【発明を実施するための形態】
【００１０】
（実施の形態の要約）
実施の形態に係る操作装置は、操作面をなぞる操作を検出する検出部と、検出部の基準位置から下方向の押し下げ操作を可能にする押下機構部と、押下機構部を介した押し下げ操作を検出する押下検出部と、検出部の基準位置から上方向の間での駆動を可能にする駆動機構部と、を備える。
【００１１】
[実施の形態]
（操作装置１の構成）
図１は、実施の形態に係る操作装置の分解斜視図である。図２（ａ）は、実施の形態に係る操作装置の配置を説明するための概略図であり、（ｂ）は、操作装置のブロック図である。なお、以下に記載する上下とは、特に断らない限り、図１の紙面の上下を基準としている。また、実施の形態に係る各図において、部品と部品との比率は、実際の比率とは異なる場合がある。
【００１２】
操作装置１は、主に、操作面をなぞる操作を検出する検出部としてのタッチパネル２と、タッチパネル２の基準位置から下方向の押し下げ操作を可能にする押下機構部３と、押下機構部３を介した押し下げ操作を検出する押下検出部としてのプッシュスイッチ５と、タッチパネル２の基準位置から上方向の間での駆動を可能にする駆動機構部７と、を備えて概略構成されている。
【００１３】
ここで基準位置とは、タッチパネル２に操作がなされていない場合のタッチパネル２の位置を示している。
【００１４】
また操作装置１は、図１に示すように、カバー４ａと、ベゼル１０と、シールド１２と、スタビライザー６と、制御基板８と、を備えて概略構成されている。
【００１５】
操作装置１は、車両９に搭載されている電子機器を操作するように構成されている。操作装置１は、図２（ａ）に示すように、運転座席と助手席の間に伸びるセンターコンソール９０に配置されている。電子機器は、一例として、カーナビゲーション装置、音楽再生装置、動画再生装置及び空調装置等である。
【００１６】
（ベゼル１０の構成）
ベゼル１０は、図１及び図２（ａ）に示すように、センターコンソール９０の表面と段差が無くなるように操作装置１に設けられている。このベゼル１０は、タッチパネル２の操作面２００が露出する開口１００を有する板形状に形成されている。ベゼル１０は、例えば、樹脂材料を用いて形成されている。
【００１７】
ベゼル１０は、図１に示すように、裏面から突出する脚１０１〜脚１０４を四隅に備えている。この脚１０１〜脚１０４は、後述するボディ４に取り付けられるように構成されている。
【００１８】
（タッチパネル２の構成）
タッチパネル２は、例えば、図１に示すように、シート２０と、プレート２１と、パネル２２と、タッチパネル基板２３と、ベース２４と、を備えて概略構成されている。
【００１９】
シート２０は、例えば、操作者の指の滑りを良くする目的で、プレート２１の凹部２１０の底面２１１に貼られている。このシート２０は、樹脂材料を用いて矩形状に形成されている。操作者は、このシート２０の表面（操作面２００）に対して操作を行い、その操作をタッチパネル基板２３が検出する。
【００２０】
プレート２１は、例えば、樹脂材料を用いて形成される。このプレート２１は、矩形状を有し、その周囲には段差が設けられている。またプレート２１の中央には、凹部２１０が設けられている。プレート２１は、タッチパネル基板２３上に配置される。
【００２１】
パネル２２は、例えば、四角い枠であり、プレート２１、タッチパネル基板２３及びベース２４を一体とする。このパネル２２は、例えば、樹脂材料を用いて形成される。
【００２２】
タッチパネル基板２３は、例えば、静電容量を検出する静電容量タッチセンサである。このタッチパネル基板２３は、検出面２３０に接近、又は接触した検出対象との間の静電容量を検出し、検出点の座標情報を出力するように構成されている。本実施の形態においては、検出面２３０上に、プレート２１及びシート２０が配置されているので、シート２０の操作面２００に対する接近、接触を検出するように構成されている。なお上記の接近とは、静電容量がしきい値を越えるほど接近した状態を示している。タッチパネル基板２３が検出する検出対象は、操作者の体の一部、スタイラスペンのような導電性を有するもの等であるが、以下では特に断らない限り、指による操作を対象とする。
【００２３】
タッチパネル２は、静電容量タッチセンサに限定されず、操作面２００をなぞる操作を検出可能なセンサであれば良い。本実施の形態では、操作装置１に表示部は含まれないが、操作装置１は、タッチパネル基板２３を透明基板で構成し、タッチパネル基板２３の下に表示部を備える構成としても良い。
【００２４】
図３（ａ）は、実施の形態に係るベースの下面図であり、（ｂ）は、側面図である。
【００２５】
ベース２４は、例えば、樹脂材料を用いて形成されている。このベース２４は、図１、図３（ａ）及び（ｂ）に示すように、矩形状でかつ、板形状を有している。
【００２６】
このベース２４は、上面２４ａに収納部２４０ａが形成されている。この収納部２４０ａには、タッチパネル基板２３が収納されている。
【００２７】
またベース２４の下面２４ｂには、図３（ａ）及び（ｂ）に示すように、４つの側面の近傍のそれぞれに脚２４０〜脚２４３が設けられている。この脚２４０〜脚２４３は、断面がＵ字形状となっている。脚２４０〜脚２４３は、後述するボディ４に形成された貫通孔に挿入される。従って脚２４０〜脚２４３は、タッチパネル２が移動する際のガイドとなる。
【００２８】
ベース２４の下面２４ｂには、対向する、リンク２４５とリンク２４６、及び取付部２４７と取付部２４８が設けられている。リンク２４５及びリンク２４６は、四角柱形状を有しており、その長さは脚２４０〜脚２４３よりも長い。また取付部２４７及び取付部２４８は、四角柱形状を有し、その長さは、脚２４０〜脚２４３よりも短い。
【００２９】
リンク２４５は、後述する駆動機構部７の第１のギア７１のリンクピン７１１が挿入されるリンク凹部２４５ａを有する。またリンク２４６は、駆動機構部７の第２のギア７２のリンクピン７２１が挿入されるリンク凹部２４６ａを有する。
【００３０】
取付部２４７は、後述するスタビライザー６の一方の端部が挿入される凹部２４７ａを有する。また取付部２４８は、スタビライザー６の他方の端部が挿入される凹部２４８ａを有する。
【００３１】
ベース２４は、収納部２４０ａに貫通孔２４９を有する。この貫通孔２４９には、タッチパネル基板２３のケーブル２３１が挿入される。このケーブル２３１は、制御基板８に電気的に接続される。
【００３２】
（シールド１２の構成）
シールド１２は、例えば、導電性を有する金属材料を用いて形成される。このシールド１２は、タッチパネル２の側面を覆うような枠形状を有し、制御基板８の接地回路に電気的に接続されている。
【００３３】
（押下機構部３の構成）
図４（ａ）は、実施の形態に係るボディの上面図であり、（ｂ）は、図４（ａ）のIV（ｂ）-IV（ｂ）線で切断した断面を矢印方向から見た断面図である。
【００３４】
押下機構部３は、押し下げ操作に基づいてタッチパネル２の下面２４ｂに接触するロッドとしてのプッシュロッド３０と、プッシュロッド３０を支持する支持部としてのボディ４と、ボディ４に設けられ、タッチパネル２の方向の力を生成してプッシュロッド３０に付加する力生成部としてのスプリング３１と、を備えて概略構成されている。
【００３５】
ボディ４は、図１、図４（ａ）及び（ｂ）に示すように、上部に収納部４０が設けられている。この収納部４０には、タッチパネル２が収納される。ボディ４は、例えば、樹脂材料を用いて形成されている。
【００３６】
また収納部４０は、その底面４０ａの中央にロッド開口４００が形成されている。このロッド開口４００は、底面４０ａから下方向に伸びるように筒状に形成され、プッシュロッド３０及びスプリング３１が挿入される。
【００３７】
この底面４０ａには、さらに図４（ａ）の紙面において時計回りに貫通孔であるガイド４１〜ガイド４４が形成されている。また底面４０ａには、対向するように、リンク孔４５とリンク孔４６、取付孔４７と取付孔４８、が形成されている。さらに底面４０ａには、ガイド４１とロッド開口４００の間に、ケーブルが挿入される貫通孔４９が形成されている。この貫通孔４９は、収納部４０に収納されたタッチパネル２のベース２４の貫通孔２４９に対応する位置に形成される。
【００３８】
ガイド４１には、ベース２４の脚２４０が挿入される。ガイド４２には、ベース２４の脚２４１が挿入される。ガイド４３には、ベース２４の脚２４２が挿入される。ガイド４４には、ベース２４の脚２４３が挿入される。
【００３９】
リンク孔４５には、リンク２４５が挿入される。またリンク孔４６には、リンク２４６が挿入される。
【００４０】
取付孔４７には、取付部２４７が挿入される。スタビライザー６は、取付孔４７に挿入された取付部２４７に取り付けられる。取付孔４８には、取付部２４８が挿入される。スタビライザー６は、取付孔４８に挿入された取付部２４８に取り付けられる。ボディ４の底面４０ａの逆側の面には、スタビライザー６を取り付けることができるように、取付部４０１〜取付部４０３が、突出するように形成されている。
【００４１】
取付部４０１は、後述するスタビライザー６の基部６０の一方端部側を支持する。取付部４０２は、基部６０の中央部分を支持する。取付部４０３は、基部６０の他方端部側を支持する。
【００４２】
ロッド開口４００は、図４（ａ）に示すように、その底面４００ａに十字形状の貫通孔４００ｂを有する。この貫通孔４００ｂには、後述するプッシュロッド３０の先端部３０５が挿入される。
【００４３】
またロッド開口４００の側面には、後述するプッシュロッド３０の凸部が挿入されるスリット４００ｃが形成されている。さらにスリット４００ｃの収納部４０側には、プッシュロッド３０の凸部が接触する抜止４００ｄが形成されている。この抜止４００ｄは、ロッド開口４００に挿入されたスプリング３１の弾性力により、ロッド開口４００からプッシュロッド３０が抜けるのを防止している。
【００４４】
図５（ａ）は、実施の形態に係るプッシュロッドの側面図であり、（ｂ）は、下面図である。
【００４５】
プッシュロッド３０は、図５（ａ）及び（ｂ）に示すように、細長い四角柱となる本体３００と、円柱形状を有し、本体３００の端面３００ａから突出する接触部３０３と、接触部３０３よりも一回り小さい円柱形状を有する取付部３０４と、取付部３０４の先端から突出する先端部３０５と、を備えて概略構成されている。このプッシュロッド３０は、例えば、樹脂材料を用いて形成されている。
【００４６】
本体３００は、短手方向の両側面から突出する凸部３０１及び凸部３０２が形成されている。この凸部３０１及び凸部３０２は、ボディ４のロッド開口４００に形成されたスリット４００ｃに挿入され、タッチパネル２の押し下げ操作に伴う上下方向の移動のガイドとして機能する。
【００４７】
接触部３０３には、ロッド開口４００に挿入されたスプリング３１の端部が接触する。従ってプッシュロッド３０は、ロッド開口４００に挿入されたスプリング３１から、タッチパネル２方向の弾性力を付加されている。しかしプッシュロッド３０の凸部３０１及び凸部３０２が、抜止４００ｄと接触するので、プッシュロッド３０は、ロッド開口４００から抜けないようにされている。
【００４８】
従ってプッシュロッド３０とタッチパネル２との間にクリアランスを設けた場合、プッシュロッド３０は、タッチパネル２のベース２４の下面２４ｂに押し付けられることなくクリアランスを保つことが可能となる。
【００４９】
取付部３０４は、スプリング３１が挿入される部分である。この取付部３０４から突出して設けられた先端部３０５は、短手方向の断面が十字形状で、細長い形状を有している。先端部３０５は、ロッド開口４００の貫通孔４００ｂに挿入されている。
【００５０】
スプリング３１は、例えば、金属材料を用いて形成されたコイルスプリングである。なおスプリング３１は、金属材料に限定されず、樹脂材料等を用いて形成されても良い。また力生成部は、コイルスプリングに限定されず、プッシュロッド３０にタッチパネル２方向の力を付加することができる機械要素であれば良い。
【００５１】
（スタビライザー６の構成）
タッチパネル２とボディ４とを連結する連結部材としてのスタビライザー６は、基部６０と、基部６０の一方端部を曲げて形成された第１の端部としての端部６１と、基部６０の他方端部を曲げて形成された第２の端部としての端部６２と、を備え、基部６０がシャフト７３と交差するように、ボディ４に取り付けられ、端部６１及び端部６２がタッチパネル２に取り付けられている。
【００５２】
スタビライザー６は、例えば、図１に示すように、針金を細長い楕円形状とし、その長手の一部を切り取ったような形状を有する。
【００５３】
このスタビライザー６は、タッチパネル２になされた、偏った押し下げ操作においても、プッシュロッド３０を介してプッシュスイッチ５をオンすることができるように設けられたものである。
【００５４】
この偏った押し下げ操作とは、タッチパネル２の操作面２００の中央から離れた位置でなされた操作を示している。このスタビライザー６は、その長手方向における偏った押し下げ操作を許容するように構成されている。
【００５５】
押し下げ操作が、例えば、操作面２００の隅で行われた場合、タッチパネル２の隅の移動量と、中央での移動量と、では異なり、中央での移動量が十分でなくてプッシュスイッチ５がオンとならない可能性がある。しかし操作装置１は、スタビライザー６の長手方向に沿った位置で、偏った押し下げ操作が行われた場合、端部６１又は端部６２の一方が基部６０に対してねじれ、そのねじれによって生じる力により、他方がそのねじれに追従する。この追従により、他方の端部が取り付けられているベース２４を下方向に引っ張ることとなり、タッチパネル２の傾きが修正された状態で下方に移動するので、確実にプッシュロッド３０を介してプッシュスイッチ５をオンさせることが可能となる。
【００５６】
（駆動機構部７の構成）
図６（ａ）は、実施の形態に係る駆動機構部の第１のギアの概略図であり、（ｂ）は、図６（ａ）のVI（ｂ）-VI（ｂ）線で切断した断面を矢印方向から見た断面図であり、（ｃ）は、第１のギアの側面図であり、（ｄ）は、第２のギアの概略図であり、（ｅ）は、図６（ｄ）のVI（ｅ）-VI（ｅ）線で切断した断面を矢印方向から見た断面図であり、（ｆ）は、第２のギアの側面図である。
【００５７】
駆動機構部７は、図１に示すように、ギアシャフト部７０と、モータ７５と、を備えて概略構成されている。ギアシャフト部７０は、第１のギア７１と、第２のギア７２と、シャフト７３と、を備えて概略構成されている。
【００５８】
具体的には、駆動機構部７は、駆動力を発生する駆動力発生部としてのモータ７５と、モータ７５の出力軸に設けられた出力軸側ギアとしてのピニオンギア７６と、ピニオンギア７６と噛み合い、タッチパネル２に設けられた第１のリンクとしてのリンク２４５と連結される第１の凸部としてのリンクピン７１１が設けられた第１のギア７１と、を備えている。
【００５９】
また駆動機構部７は、一方端部が第１のギア７１に接続するシャフト７３と、シャフト７３の他方端部が接続し、リンク２４５と対向する第２のリンクとしてのリンク２４６と連結される第２の凸部としてのリンクピン７２１が設けられた回転部材としての第２のギア７２と、を備えている。
【００６０】
第１のギア７１及び第２のギア７２は、例えば、樹脂材料を用いて形成されている。シャフト７３は、例えば、金属材料を用いて棒形状に形成されている。
【００６１】
第１のギア７１は、図６（ａ）に示すように、半円形状を有し、モータ７５の出力軸に設けられたピニオンギア７６と噛み合うギア部７１０が円周に形成されている。また第１のギア７１の回転軸のシャフト７３側には、シャフト取付部７１３が設けられている。このシャフト取付部７１３には、図６（ｃ）に示すように、挿入孔７１３ａが形成され、シャフト７３が挿入される。
【００６２】
シャフト取付部７１３の反対側には、ピン挿入部７１２が設けられている。このピン挿入部７１２の挿入孔７１２ａには、図１に示すピン７４ａが挿入される。このピン７４ａによって、第１のギア７１は、ボディ４に回転可能に取り付けられている。
【００６３】
第１のギア７１は、ピン挿入部７１２に隣接してリンクピン７１１が設けられている。このリンクピン７１１は、ベース２４のリンク２４５のリンク凹部２４５ａに挿入される。
【００６４】
第２のギア７２は、図６（ｄ）に示すように、半円形状を有し、ギア部７２０が円周に形成されている。また第２のギア７２のシャフト７３側には、シャフト取付部７２３が設けられている。このシャフト取付部７２３には、図６（ｆ）に示すように、挿入孔７２３ａが形成され、シャフト７３が挿入される。なお第２のギア７２は、第１のギア７１と同形状、同質量であることが好ましいので、第１のギア７１と同じギア形状を有しているが、これに限定されず、ギア部が形成されない形状であっても良い。
【００６５】
シャフト取付部７２３の反対側には、ピン挿入部７２２が設けられている。このピン挿入部７２２の挿入孔７２２ａには、図１に示すピン７４ｂが挿入される。このピン７４ｂによって、第２のギア７２は、ボディ４に回転可能に取り付けられている。
【００６６】
第２のギア７２は、ピン挿入部７２２に隣接してリンクピン７２１が設けられている。このリンクピン７２１は、ベース２４のリンク２４６のリンク凹部２４６ａに挿入される。
【００６７】
モータ７５は、ブラケット７５ａを介して制御基板８に取り付けられている。このモータ７５の出力軸には、ピニオンギア７６が取り付けられている。このピニオンギア７６は、第１のギア７１のギア部７１０と噛み合うように構成されている。
【００６８】
モータ７５は、図１に示すように、正逆回転するように構成されている。ここで、正回転とは、例えば、図１に示す矢印Ａ方向であり、逆回転とは、矢印Ｂ方向である。
【００６９】
モータ７５が正回転（矢印Ａ方向）する場合、図１の紙面において反時計回りにピニオンギア７６が回転する。この反時計回りの回転により、第１のギア７１が時計回りに回転すると共にリンクピン７１１が上方向に移動し、ベース２４のリンク２４５を介してタッチパネル２を基準位置から上方向に駆動する。駆動位置とは、上方向に最大の駆動量で駆動された位置を示すものとする。
【００７０】
またモータ７５が逆回転（矢印Ｂ方向）する場合、図１の紙面において時計回りにピニオンギア７６が回転する。この時計回りの回転により、第１のギア７１が反時計回りに回転すると共にリンクピン７１１が下方向に移動し、ベース２４のリンク２４５を介してタッチパネル２を上方向から基準位置に駆動する。
【００７１】
駆動機構部７は、基準位置から上方向にタッチパネル２を駆動し、さらに上方向に駆動されたタッチパネル２を基準位置に駆動する。従って駆動機構部７は、タッチパネル２を基準位置から下方向には駆動しないように構成されている。つまり後述する触覚の呈示は、基準位置から駆動位置、駆動位置から基準位置、までの範囲で行われる。
【００７２】
この基準位置からの駆動量は、一例として、０．２〜０．５ｍｍである。従ってタッチパネル２とベゼル１０とのクリアランスは、一例として、１ｍｍ程度である。
【００７３】
ここでギアシャフト部７０は、その長手方向が、スタビライザー６の長手方向と交差するように配置される。これは、スタビライザー６が、その長手方向に沿った位置で偏った押し下げ操作を許容するように構成されたのに対して、当該長手方向と交差する方向に沿った位置で偏った押し下げ操作を許容させるためである。
【００７４】
ギアシャフト部７０の長手方向に沿った位置で偏った押し下げ操作が行われた場合、ベース２４のリンク２４５又はリンク２４６を介して第１のギア７１又は第２のギア７２の何れかが回転する。一方のギアが回転すれば、他方のギアが回転するので、他方のリンクピンが挿入されたリンクを介してベース２４が押し下げられる。従って、タッチパネル２の傾きが修正された状態で下方に移動するので、確実にプッシュロッド３０を介してプッシュスイッチ５をオンさせることが可能となる。よって操作装置１は、スタビライザー６及びギアシャフト部７０によって、偏った押し下げ操作を許容することが可能となる。
【００７５】
（制御基板８の構成）
制御基板８は、図２（ｂ）に示すように、プッシュスイッチ５と、制御部８０と、記憶部８２、とが配置されたプリント配線基板である。
【００７６】
制御部８０は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。
【００７７】
記憶部８２は、操作装置１が電気的に接続された電子機器から取得した画像情報８２０と、触覚パターン情報８２１と、を記憶する半導体メモリである。記憶部８２は、一例として、制御部８０のＲＡＭであっても良い。
【００７８】
画像情報８２０は、例えば、表示装置９１に表示される画像の情報である。
【００７９】
触覚パターン情報８２１は、例えば、後述する触覚パターンに従って触覚の呈示を実行するために必要な情報を含んで構成されている。この制御部８０は、画像情報８２０及び触覚パターン情報８２１に基づいて触覚の呈示を行うように駆動機構部７を制御する。
【００８０】
制御部８０は、プッシュスイッチ５、タッチパネル基板２３及びモータ７５と電気的に接続されている。
【００８１】
プッシュスイッチ５は、先端が押されることで、制御部８０にプッシュ情報を出力する押ボタンスイッチである。このプッシュ情報は、プッシュスイッチ５がオンされたことを示す情報である。なおプッシュスイッチ５は、押ボタンスイッチに限定されず、荷重を検出する荷重センサ等であっても良い。
【００８２】
タッチパネル基板２３は、座標情報を出力するように構成されている。この座標情報は、タッチパネル基板２３が検出した検出対象の座標の情報である。
【００８３】
制御部８０は、モータ７５を制御するための駆動信号を出力するように構成されている。モータ７５は、この駆動信号に基づいて正逆回転を行う。
【００８４】
また制御部８０は、座標情報及びプッシュ情報に基づいて操作情報を生成し、接続された電子機器に出力するように構成されている。この操作情報は、検出点の座標の情報、及びプッシュ操作の有無等を含む情報である。
【００８５】
なお基準位置から押下位置までの押下量は、一例として、０．２〜０．５ｍｍである。
【００８６】
（カバー４ａの構成）
カバー４ａは、図１に示すように、ボディ４の下に取り付けられるものである。このカバー４ａは、例えば、樹脂材料等を用いて形成されている。
【００８７】
以下に、本実施の形態に係る操作装置１の動作を、各図を参照しながら説明する。まず操作装置１が、表示装置９１に表示される画像に対応して触覚を呈示する動作について説明する。
【００８８】
（触覚パターンについて）
図７（ａ）は、表示装置９１に表示される画像を示す概略図であり、（ｂ）は、ｘ軸方向の触覚パターンを示す概略図であり、（ｃ）は、ｙ軸方向の触覚パターンを示す概略図である。図７（ｂ）は、縦軸がｚ軸で、横軸がｘ軸である。図７（ｃ）は、縦軸がｙ軸であり、横軸がｚ軸である。なおｚ軸方向は、タッチパネル２の操作面２００の法線方向である。
【００８９】
図７（ａ）に示すように、表示装置９１が、その表示画面９２に等間隔に並ぶアイコン９３〜アイコン９６を表示しているものとする。図７（ａ）では、表示画面９２の左上をｘｙ座標の原点とし、ｘ軸は、右側が正、ｙ軸は、下側が正となるものとする。
【００９０】
操作者が、一列に並んだアイコン９３〜アイコン９６の中央を通るｘ軸方向の点線上を指でなぞる操作を行った場合の触覚パターン９７は、図７（ｂ）に示すように、アイコン９３〜アイコン９６に対応する位置でタッチパネル２を基準位置から駆動位置に駆動するパターンとなっている。
【００９１】
触覚パターン９７は、アイコン９３に対応する座標ｘ１から座標ｘ２の間でタッチパネル２を駆動するものである。また触覚パターン９７は、アイコン９４に対応する座標ｘ３から座標ｘ４の間でタッチパネル２を駆動するものである。また触覚パターン９７は、アイコン９５に対応する座標ｘ５から座標ｘ６の間でタッチパネル２を駆動するものである。また触覚パターン９７は、アイコン９６に対応する座標ｘ７から座標ｘ８の間でタッチパネル２を駆動するものである。
【００９２】
操作者が、例えば、左方向からアイコン９３に対応する操作面２００をｘ軸に沿ってなぞる操作を行った場合、座標ｘ１において、タッチパネル２が基準位置から駆動位置に駆動され、座標ｘ２において、駆動位置から基準位置に駆動される。また操作者が、例えば、右方向からアイコン９３に対応する操作面２００をｘ軸に沿ってなぞる操作を行った場合、座標ｘ２において、タッチパネル２が基準位置から駆動位置に駆動され、座標ｘ１において、駆動位置から基準位置に駆動される。
【００９３】
上述の動作は、ｘ軸に沿った操作について説明したが、続いてｙ軸に沿った操作について説明する。
【００９４】
操作者が、アイコン９３の中央を通るｙ軸方向の点線上を指でなぞる操作を行う場合の触覚パターン９８は、図７（ｃ）に示すように、アイコン９３に対応する位置でタッチパネル２を基準位置から駆動位置に駆動するパターンとなっている。
【００９５】
触覚パターン９８は、アイコン９３に対応する座標ｙ１から座標ｙ２の間でタッチパネル２を駆動するものである。
【００９６】
操作者が、例えば、上方向からアイコン９３に対応する操作面２００をｙ軸に沿ってなぞる操作を行った場合、座標ｙ１において、タッチパネル２が基準位置から駆動位置に駆動され、座標ｙ２において、駆動位置から基準位置に駆動される。また操作者が、例えば、下方向からアイコン９３に対応する操作面２００をｙ軸に沿ってなぞる操作を行った場合、座標ｙ２において、タッチパネル２が基準位置から駆動位置に駆動され、座標ｙ１において、駆動位置から基準位置に駆動される。
【００９７】
続いて、以下では、操作装置１のタッチパネル２の駆動について説明する。
【００９８】
（触覚の呈示について）
図８は、実施の形態に係る操作装置の基準位置からの駆動を示す概略図である。図８は、実線が基準位置にある場合の操作装置１を示し、二点鎖線が駆動位置にある場合の操作装置１を示す。アイコン９３の左側からなぞる操作が行われる場合の駆動について説明する。
【００９９】
制御部８０は、タッチパネル２から出力された座標情報、記憶部８２に記憶された画像情報８２０及び触覚パターン情報８２１に基づいて検出点の座標がｘ１となると、モータ７５を駆動する駆動信号を出力する。
【０１００】
モータ７５は、駆動信号に基づいて正回転（矢印Ａ方向）に回転する。この回転にともなって、ピニオンギア７６が、図８の紙面において反時計回りに回転すると共に第１のギア７１が時計回りに回転する。
【０１０１】
この第１のギア７１の回転により、第１のギア７１のリンクピン７１１が、ベース２４のリンク２４５を介してタッチパネル２を上方向に移動させると共に、シャフト７３を介して第２のギア７２が回転し、第２のギア７２のリンクピン７２１が、ベース２４のリンク２４６を介してタッチパネル２を上方向に移動させる。
【０１０２】
制御部８０は、タッチパネル２が駆動位置に駆動されるまで制御信号を出力する。
【０１０３】
続いて、以下では、駆動位置から基準位置への駆動について説明する。
【０１０４】
制御部８０は、タッチパネル２から出力された座標情報、記憶部８２に記憶された画像情報８２０及び触覚パターン情報８２１に基づいて検出点の座標がｘ２となると、モータ７５を駆動する駆動信号を出力する。
【０１０５】
モータ７５は、駆動信号に基づいて逆回転（矢印Ｂ方向）に回転する。この回転にともなって、ピニオンギア７６が、図８の紙面において時計回りに回転すると共に第１のギア７１が反時計回りに回転する。
【０１０６】
この第１のギア７１の回転により、第１のギア７１のリンクピン７１１が、ベース２４のリンク２４５を介してタッチパネル２を下方向に移動させると共に、シャフト７３を介して第２のギア７２が回転し、第２のギア７２のリンクピン７２１が、ベース２４のリンク２４６を介してタッチパネル２を下方向に移動させる。
【０１０７】
制御部８０は、タッチパネル２が基準位置に駆動されるまで制御信号を出力する。
【０１０８】
続いて、以下では、タッチパネル２の押し下げ操作について説明する。
【０１０９】
（押し下げ操作について）
図９は、実施の形態に係る操作装置の基準位置からの押し下げ操作における動作を示す概略図である。
【０１１０】
操作者が、例えば、アイコン９３に対応する操作面２００に指が位置する状態で、操作面２００を下方向に押し下げる。
【０１１１】
この押し下げ操作により、タッチパネル２が押し下げられ、タッチパネル２の下面２４ｂが、プッシュロッド３０の端面３００ｂに接触すると共に、プッシュロッド３０が、図９の紙面下側に移動する。
【０１１２】
プッシュロッド３０は、凸部３０１及び凸部３０２がボディ４のロッド開口４００のスリット４００ｃに案内されながら下方向に移動する。この移動に伴って、プッシュロッド３０の先端面３０６がプッシュスイッチ５の先端に接触して押し下げる。
【０１１３】
プッシュスイッチ５は、先端が押し下げられたことによってオンとなり、プッシュ情報を出力する。
【０１１４】
操作者が押し下げ操作を終了し、操作面２００から指を離すと、スプリング３１に蓄積された弾性力が開放され、図９の紙面の上方向にプッシュロッド３０を押し上げる。プッシュロッド３０は、上方向に移動すると共に、プッシュロッド３０に接触していたタッチパネル２が、押し下げ位置から基準位置まで移動する。
【０１１５】
プッシュロッド３０は、図９に示すように、抜止４００ｄによって上方向の移動が規制される。従ってタッチパネル２は、基準位置まで移動することとなる。
【０１１６】
制御部８０は、プッシュスイッチ５から取得したプッシュ情報、及びタッチパネル基板２３から取得した座標情報に基づいて操作情報を生成し、電子機器に出力する。
【０１１７】
電子機器は、操作情報に基づいてアイコン９３が選択、決定されたと判定し、アイコン９３に割り当てられた機能を実行する。
【０１１８】
（実施の形態の効果）
本実施の形態に係る操作装置１は、高度な制御を行うことなく、触覚の呈示と、押し下げ操作の検出と、を行うことができる。操作装置１は、触覚の呈示は、基準位置から上方向にタッチパネル２を駆動することで行い、押し下げ操作は、タッチパネル２が基準位置から押し下げられることにより行われる。従って操作装置１は、触覚の呈示の際に、プッシュロッド３０がプッシュスイッチ５を押し下げることがないので、簡単な制御で触覚の呈示と押し下げ操作の検出を行うことができる。よって操作装置１は、高度な処理能力を有する制御部が必要ないので、低コストである。
【０１１９】
操作装置１は、モータ７５を用いた触覚の呈示を行うことができるので、圧電素子を用いた触覚の呈示と比べて、強い振動を指に与えることができる。
【０１２０】
操作装置１は、スタビライザー６及びギアシャフト部７０を備えているので、タッチパネル２の隅を押し下げる操作がなされても、プッシュスイッチ５をオンすることができる。また操作装置１は、スタビライザーを２つ配置する必要がないので、低コストである。
【０１２１】
操作装置１は、表示装置９１に表示される画像の画像情報８２０に基づいて触覚を呈示することができるので、操作者は、操作面２００に視線を移動させなくてもアイコンの位置等が把握できる。
【０１２２】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【０１２３】
１…操作装置、２…タッチパネル、３…押下機構部、４…ボディ、４ａ…カバー、５…プッシュスイッチ、６…スタビライザー、７…駆動機構部、８…制御基板、９…車両、１０…ベゼル、１２…シールド、２０…シート、２１…プレート、２２…パネル、２３…タッチパネル基板、２４…ベース、２４ａ…上面、２４ｂ…下面、３０…プッシュロッド、３１…スプリング、４０…収納部、４０ａ…底面、４１〜４４…ガイド、４５、４６…リンク孔、４７、４８…取付孔、４９…貫通孔、６０…基部、６１、６２…端部、７０…ギアシャフト部、７１…第１のギア、７２…第２のギア、７３…シャフト、７４ａ…ピン、７４ｂ…ピン、７５…モータ、７５ａ…ブラケット、７６…ピニオンギア、８０…制御部、８２…記憶部、９０…センターコンソール、９１…表示装置、９２…表示画面、９３〜９６…アイコン、９７、９８…触覚パターン、１００…開口、１０１〜１０４…脚、２００…操作面、２１０…凹部、２１１…底面、２３０…検出面、２３１…ケーブル、２４０〜２４３…脚、２４０ａ…収納部、２４５、２４６…リンク、２４５ａ、２４６ａ…リンク凹部、２４７、２４８…取付部、２４７ａ、２４８ａ…凹部、２４９…貫通孔、３００…本体、３００ａ、３００ｂ…端面、３０１、３０２…凸部、３０３…接触部、３０４…取付部、３０５…先端部、３０６…先端面、４００…ロッド開口、４００ａ…底面、４００ｂ…貫通孔、４００ｃ…スリット、４００ｄ…抜止、４０１〜４０３…取付部、７１０…ギア部、７１１…リンクピン、７１２…ピン挿入部、７１２ａ…挿入孔、７１３…シャフト取付部、７１３ａ…挿入孔、７２０…ギア部、７２１…リンクピン、７２２…ピン挿入部、７２２ａ…挿入孔、７２３…シャフト取付部、７２３ａ…挿入孔、８２０…画像情報、８２１…触覚パターン情報
【要約】
【課題】高度な制御を行うことなく、触覚の呈示と、押し下げ操作の検出と、を行うことができる操作装置を提供する。
【解決手段】操作装置１は、主に、操作面をなぞる操作を検出するタッチパネル２と、タッチパネル２の基準位置から下方向の押し下げ操作を可能にする押下機構部３と、押下機構部３を介した押し下げ操作を検出するプッシュスイッチ５と、タッチパネル２の基準位置から上方向の間での駆動を可能にする駆動機構部７と、を備えて概略構成されている。
【選択図】図１【図１】
0005173044.tif 000002
【図２】
0005173044.tif 000003
【図３】
0005173044.tif 000004
【図４】
0005173044.tif 000005
【図５】
0005173044.tif 000006
【図６】
0005173044.tif 000007
【図７】
0005173044.tif 000008
【図８】
0005173044.tif 000009
【図９】
0005173044.tif 000010